(57)【特許請求の範囲】
【請求項１】
所定幅の天板部および左右一対の側壁部を備えた収納庫本体と、可撓性を有するシート状素材からなる区画材とを有し、この区画材の左右両側辺部を上記収納庫本体の両側壁部内面に取り付けることにより、上記区画材を垂下状態で収納庫本体内に設置し、区画材の少なくとも一部を二重構造に形成したことを特徴とするかばん類等の収納庫。
【請求項２】
所定幅の天板部および左右一対の側壁部を備えた収納庫本体と、可撓性を有するシート状素材からなる区画材とを有し、この区画材の左右両側辺部を上記収納庫本体の両側壁部内面に取り付けることにより、上記区画材を垂下状態で収納庫本体内に設置し、収納庫本体の下部に底壁部を設け、収納庫本体の側壁部内面に一側辺部が取り付けられるとともに、他側辺部が収納庫本体の底壁部に取り付けられた底部区画材を備えたことを特徴とするかばん類等の収納庫。
【請求項３】
収納庫本体の天板部に保形性を持たせ、かつ収納庫本体の左右両側壁部を、可撓性を有するシート状素材によって構成したことを特徴とする請求項１または２に記載のかばん類等の収納庫。
【発明の詳細な説明】
【０００１】
【発明の属する技術分野】
本発明は、ハンドバックまたはアタッシュケース等の被収納物を保護した状態で、効率よく格納することができるかばん類等の収納庫に関するものである。
【０００２】
【従来の技術】
従来、例えば図８に示すように、前面が開口した箱体からなる収納庫本体３１と、この収納庫本体３１の内部を上下複数段の格納空間に区画するための複数枚の棚板３２とを有し、上記収納庫本体３１の天板部上面に吊下部材３３が設けられたかばん類等の収納庫が知られている。この収納庫は、上記吊下部材３３を介してタンスのハンガーバー３４等に吊下されるとともに、上記棚板３２によって区画された収納庫本体３１の各格納空間内に、かばん類等からなる被収納物がそれぞれ格納されるように構成されている。
【０００３】
【発明が解決しようとする課題】
上記のように収納庫本体３１の内部を棚板３２によって上下複数段の格納空間に区画した場合には、各格納空間内に格納される被収納物が互いに接触するのを防止することにより、被収納物を保護することができるとともに、被収納物の出し入れを容易に行うことができる。この反面、上記棚板３２により区画された格納空間の上下寸法に応じて格納し得る被収納物の高さが制限され、各種の被収納物を格納し得るようにするためには、相対向する棚板３２，３２の設置間隔を大きくしなければならず、収納庫本体３１が大型化するとともに、収納効率が悪くなることが避けられないという問題があった。
【０００４】
本発明は、上記の点に鑑みてなされたものであり、簡単かつコンパクトな構成で、種々の寸法を有するかばん類等の被収納物を保護した状態で、効率よく格納することができるかばん類等の収納庫を提供することを目的としている。
【０００５】
【課題を解決するための手段】
請求項１に係る発明は、所定幅の天板部および左右一対の側壁部を備えた収納庫本体と、可撓性を有するシート状素材からなる区画材とを有し、この区画材の左右両側辺部を上記収納庫本体の両側壁部内面に取り付けることにより、上記区画材を垂下状態で収納庫本体内に設置し、区画材の少なくとも一部を二重構造に形成したものである。
【０００６】
上記構成によれば、区画材により上下に区画された収納庫本体の格納空間内に、かばん類等の被収納物がそれぞれ保護された状態で格納されるとともに、上記区画材を変形させることにより、各種の寸法を有するかばん類等の被収納物が効率よく格納されることになる。そして、二重構造に形成された上記区画材の間にかばん類等の被収納物を挿入することにより、複数の被収納物が並列状態で、効率よく格納されることになる。
【０００７】
請求項２に係る発明は、所定幅の天板部および左右一対の側壁部を備えた収納庫本体と、可撓性を有するシート状素材からなる区画材とを有し、この区画材の左右両側辺部を上記収納庫本体の両側壁部内面に取り付けることにより、上記区画材を垂下状態で収納庫本体内に設置し、収納庫本体の下部に底壁部を設け、収納庫本体の側壁部内面に一側辺部が取り付けられるとともに、他側辺部が収納庫本体の底壁部に取り付けられた底部区画材を備えたものである。
【０００８】
上記構成によれば、収納庫本体１の下部に設けられた底部区画材によって左右に区画された格納空間内に、かばん類等の被収納物がそれぞれ保護された状態で、効率よく格納されることになる。
【０００９】
請求項３に係る発明は、上記請求項１または２記載のかばん類等の収納庫において、収納庫本体の天板部に保形性を持たせ、かつ収納庫本体の左右両側壁部を、可撓性を有するシート状素材によって構成したものである。
【００１０】
上記収納庫本体の天板部に芯材を設ける等により保形性を持たせた場合には、収納庫の使用時に、上記収納庫本体を箱状に保形して被収納物の出し入れを容易に行うことが可能となり、収納庫の不使用時に、上記左右両側壁部を折畳む等により、収納庫本体をコンパクト化することができる。また、上記収納庫本体をハンガーバー等に吊下するための吊下部材の下端部を、上記芯材に直接固定するように構成した場合には、収納庫本体の吊下状態を安定させることができる。
【００１１】
【発明の実施の形態】
図１は、本発明に係るかばん類等の収納庫の実施形態を示している。この収納庫は、複数個のかばん類等が格納される収納庫本体１と、この収納庫本体１内に配設された複数の区画材２〜５とを有し、この複数枚の区画材２〜５により区画された上下複数段の格納空間が上記収納庫本体１の内部に設けられている。
【００１２】
上記収納庫本体１は、所定幅の天板部６および底壁部７と、左右一対の側壁部８，９等により前面および後面が開口した箱状に形成されている。上記天板部６および底壁部７は、所定の被収納物、例えばハンドバックまたはアタッシュケース等からなるかばん類を格納し得るように、幅方向（左右方向）および長さ方向（奥行き方向）の寸法が設定されている。
【００１３】
また、上記側壁部８，９は、複数個の被収納物を格納し得るように、高さ方向の寸法が設定され、上記天板部６の外周部、底壁部７の外周部および上記側壁部８，９の前後両側端部には、縫合部を補強し、かつ装飾するためのバイアステープが取り付けられている。
【００１４】
上記天板部６は、図２に示すように、ベニヤ板等の剛性材料を、布材等により被覆してなる芯材１０と、この芯材１０の上面部を覆う布材または軟質プラスチックシート材等からなる上面材１１とにより、保形性を有するように構成されている。また、天板部６の上面には、収納庫本体１をハンガーバー１２に吊下するための吊下部材１３が設けられている。
【００１５】
上記吊下部材１３は、押え板１４および固定具１５を介して下端部が上記芯材１０に固定された布材等からなる一対の帯状体１６，１６と、両帯状体１６，１６の上端部同士を、着脱自在に係止する面ファスナー等からなる係止部１７とを備え、上記両帯状体１６，１６によってハンガーバー１２を抱持するように構成されている。なお、天板部６の上面材１１には、上記帯状体１６，１６の下端部を芯材１０に直接固定するための開口部１８が設けられている。
【００１６】
上記収納庫本体１の側壁部８，９は、可撓性を有するシート状素材、例えば上記天板部６の上面材１１と同質の布材または軟質プラスチックシート材等より形成されている。そして、上記側壁部８，９の上端部が、上記上面材１１の左右両側辺部に縫着される等の手段で固着されている。
【００１７】
上記側壁部８の外面には、ハンドバックの取手部等を係脱可能に保持する環状の抱持部を有するホルダー部材１９が縫着されている（図１参照）。また、上記側壁部９には、図３に示すように、その一部または全体が二重構造に形成されることにより、薄型バック等からなる厚みの薄い被収納物を収納するためのポケット部２１が設けられている。
【００１８】
上記底壁部７は、天板部６と略同様に、芯材と上面材とにより保形性を有するように構成され、あるいは上記側壁部８，９と同様に、布材または軟質プラスチックシート材等によって可撓性を有するように構成されている。そして、上記底壁部７の左右両側辺部が、上記側壁部８，９の下端部に縫着される等の手段で固着されている。
【００１９】
上記区画材２〜５は、布材または軟質プラスチックシート材等の可撓性を有するシート状素材からなり、最下方の底部区画材５を除く他の区画材２〜４が、垂下状態で上記収納庫本体１内に設置されている。すなわち、上記天板部６よりも大きな幅方向の寸法を有するシート状素材からなる区画材２〜４の左右両側辺部が、上記両側壁部８，９の内面の相対向する位置に左右両側辺部が縫着される等の手段で取り付けられることにより、通常時には、上記区画材２〜４が、その自重に応じてＵ字状に垂下するように構成されている。
【００２０】
また、上記底部区画材５は、その一側辺部が上記側壁部８の内面に縫着される等の手段で取り付けられるとともに、他側辺部が上記底壁部７の中央部上面に縫着される等の手段で取り付けられている。そして、通常時には、上記底部区画材５が、その自重に応じ、上記側壁部８の内面および底壁部７の上面に沿った状態となるように構成されている。
【００２１】
上記収納庫は、タンスに設けられたハンガーバー１２に吊下された状態で使用され、上記各区画材２〜４により区画された収納庫本体１の各格納空間内に、かばん類等の被収納物が、それぞれ保護された状態で格納されるように構成されている。すなわち、図４に示すように、上記格納空間に対応した大きさの被収納物ａ〜ｄを格納する場合には、上記区画材２〜４および底壁部７上に各被収納物ａ〜ｄをそれぞれ載置することにより、これらが互いに接触することが防止された状態で、上記各被収納物ａ〜ｄが安定して支持されるようになっている。
【００２２】
また、図５に示すように、上記各区画材２〜４により区画された格納空間の上下寸法よりも大きな高さ寸法を有する被収納物ａ′〜ｅ′を格納する場合には、上記各区画材２〜４が適宜変形した状態となることにより、各被収納物ａ′〜ｅ′の接触が防止されつつ、これらが安定して支持されることになる。
【００２３】
このように所定幅の天板部６および左右一対の側壁部８，９を備えた収納庫本体１と、可撓性を有するシート状素材からなる区画材２〜４とを有し、上記収納庫本体１の両側壁部８，９の内面に、上記区画材２〜４の左右両側辺部を取り付けることにより、これらの区画材２〜４を垂下状態で上記収納庫本体１内に設置したため、上記区画材２〜４により上下に区画された収納庫本体１の各格納空間内に、かばん類等の被収納物をそれぞれ保護した状態で格納することができるとともに、上記区画材２〜４を変形させることにより、種々の寸法を有するかばん類等の被収納物を効率よく格納することができる。
【００２４】
したがって、図８に示すように、棚板３２により区画された格納空間の上下寸法に応じて格納し得る被収納物の高さが制限されたり、各種の被収納物を格納し得るように上下の棚板３２，３２間の設置間隔を必要以上に大きくしたりする等の手段を講じることなく、簡単かつコンパクトな構成で、種々の寸法を有する被収納物をそれぞれ適正状態で格納することができる。
【００２５】
また、図５に示すように、収納庫本体１の下部に設けられた底部区画材５の一側辺部を収納庫本体の側壁部８の内面に取り付けるとともに、上記底部区画材５の他側辺部を収納庫本体１の底壁部７に取り付けたため、上記底部区画材５によって左右に区画された格納空間内に、かばん類等の被収納物ｄ′，ｅ′をそれぞれ挿入することにより、これらを保護した状態で効率よく格納できるという利点がある。
【００２６】
なお、上記底部区画材５の他側辺部を、上記底壁部７の中央部上面に縫着してなる上記実施形態に代え、上記底壁部７の側辺部あるいは上記側壁部８の下端部等に、底部区画材５の他側辺部を取り付けた構造としてもよい。
【００２７】
また、図６に示すように、上記区画材３，４の一部を二重構造に形成し、または図７に示すように、上記区画材３，４の全体を二重構造に形成した場合には、これらの区画材３，４を構成するシート状素材３ａ，３ｂおよび４ａ，４ｂの間に、それぞれ被収納物を挿入することにより、複数の被収納物を並列状態で格納できるため、その収納効率を、さらに高めることができるという利点がある。
【００２８】
特に、図７に示すように、上記区画材３等の全体を二重構造に形成したものにおいて、各シート状素材３ａ，３ｂ等の中央部を互いに縫着することにより一体に接合した場合には、上記シート状素材３ａ，３ｂの間に格納された被収納物の移動を規制した状態で、これらを安定して保管できるという利点がある。また、図７に示すように、底部区画材５の左右両側辺部を収納庫本体１の側壁部８，９の内側面に固着するとともに、上記底部区画材５の中央部を収納庫本体１の底壁部７の上面に固着した構造とした場合には、収納庫本体１の最下段部に三個の被収納物を保管できるという利点がある。
【００２９】
上記実施形態では、収納庫本体１の天板部６に、ベニヤ板等の剛性材料を有する芯材１０を設ける等により、上記天板部６に保形性を持たせるとともに、布材等からなる可撓性を有するシート状素材によって上記収納庫本体１の左右両側壁部８，９を構成したため、収納庫の使用時には、上記収納庫本体１を箱状に保形することにより、被収納物の出し入れを容易に行うことができる。しかも、収納庫の不使用時には、上記左右両側壁部８，９を折畳む等により、収納庫本体１をコンパクト化できるという利点がある。
【００３０】
特に、図２に示すように、上記天板部６の上面材１１に、吊下部材１３を設置するための開口部１８を形成し、上記吊下部材１３を構成する帯状体１６，１６の下端部を、芯材１０に直接固定するように構成した場合には、上記吊下部材１３によって収納庫本体１をハンガーバー１２に吊下させる際に、天板部６が変形するのを効果的に防止して、上記収納庫本体１の吊下状態を安定化できる等の利点がある。
【００３１】
すなわち、上記帯状体１６，１６の下端部を、布材等からなる上面材１１に固定することもできるが、このように構成した場合には、上記収納庫本体１の吊下時に作用する自重に応じ、上記上面材１１が引き伸ばされて外観が悪化するとともに、上面材１１が破断し易いという問題があるため、上記のように帯状体１６，１６の下端部を芯材１０に直接固定した構造を採用することが望ましい。
【００３２】
なお、上記実施形態に代え、天板部６、底壁部７および左右両側壁部８，９を、それぞれ保形性を持たせることにより、収納庫本体１の全体を剛体的に構成してもよい。また、上記天板部６および底壁部７の芯材を省略し、あるいは芯材を取り外し可能に構成してもよく、このように構成した場合には、不使用時に収納庫本体１の全体をコンパクトに折畳むことができるとともに、汚れた場合に洗濯できる等の利点がある。さらに、上記収納庫本体１の底壁部７および底部区画材５を省略した構造としてもよい。
【００３３】
【発明の効果】
以上説明したように、本発明は、所定幅の天板部および左右一対の側壁部を備えた収納庫本体と、可撓性を有するシート状素材からなる区画材とを有し、この区画材の左右両側辺部を上記収納庫本体の両側壁部内面に取り付けることにより、上記区画材を垂下状態で収納庫本体内に設置したため、上記区画材により上下に区画された収納庫本体の格納空間内に、かばん類等の被収納物をそれぞれ保護した状態で格納できるとともに、上記区画材を変形させることにより、各種の寸法を有するかばん類等の被収納物を効率よく格納できるという利点がある。
【図面の簡単な説明】
【図１】本発明に係るかばん類等の収納庫の実施形態を示す斜視図である。
【図２】吊下部材の具体的構造を示す断面図である。
【図３】区画材の取付構造を示す説明図である。
【図４】被収納物の収納状態を示す説明図である。
【図５】被収納物の収納状態を示す説明図である。
【図６】上記収納庫の別の実施形態を示す説明図である。
【図７】上記収納庫のさらに別の実施形態を示す説明図である。
【図８】かばん類等の収納庫の従来例を示す説明図である。
【符号の説明】
１  収納庫本体
２〜４  区画材
５  底部区画材
６  天板部
７  底壁部
８，９  側壁部
【図１】
0003602423.tif 000002
【図２】
0003602423.tif 000003
【図３】
0003602423.tif 000004
【図４】
0003602423.tif 000005
【図５】
0003602423.tif 000006
【図６】
0003602423.tif 000007
【図７】
0003602423.tif 000008
【図８】
0003602423.tif 000009